(57)【要約】【課題】バンド同士が近接する場合でも、異なるバンド間での送信信号の受信回路への回り込みを防ぐためのアイソレーションを確保する。【解決手段】本発明の移動通信端末は、アンテナ、送信用増幅器Ａ、受信用増幅器Ａ、送信用増幅器Ｂ、受信用増幅器Ｂ、４波合分波器、可変フィルタを備える。周波数の低い側から、バンドＡ送信周波数帯、バンドＡ受信周波数帯、バンドＢ送信周波数帯、バンドＢ受信周波数帯の順番で割り当てられている場合には、可変フィルタは、４波合分波器と送信用増幅器Ｂとの間に配置され、バンドＢ送信周波数帯の中のあらかじめ定めた範囲の低い周波数領域の通過損失が、バンドＢ送信周波数帯の中の他の周波数領域の通過損失よりも大きいハイパスフィルタとして機能することと、ハイパスフィルタとして機能しないことを選択できる。【選択図】図５
2014171022.tif 000002
【特許請求の範囲】
【請求項１】
バンドＡとバンドＢの両方を同時に通信に用いるときと、バンドＡとバンドＢのいずれか一方を通信に用いるときがある移動通信端末であって、
周波数の低い側から、バンドＡ送信周波数帯、バンドＡ受信周波数帯、バンドＢ送信周波数帯、バンドＢ受信周波数帯の順番で割り当てられているとし、
アンテナと、
バンドＡの送信信号を増幅する送信用増幅器Ａと、
バンドＡの受信信号を増幅する受信用増幅器Ａと、
バンドＢの送信信号を増幅する送信用増幅器Ｂと、
バンドＢの受信信号を増幅する受信用増幅器Ｂと、
前記アンテナと、前記送信用増幅器Ａ、受信用増幅器Ａ、送信用増幅器Ｂ、受信用増幅器Ｂとの間に配置され、バンドＡ送信周波数帯の信号、バンドＡ受信周波数帯の信号、バンドＢ送信周波数帯の信号、バンドＢ受信周波数帯の信号の合分波を行う４波合分波器と、
前記４波合分波器と前記送信用増幅器Ｂとの間に配置された可変フィルタと、
を備え、
前記可変フィルタは、バンドＢ送信周波数帯の中のあらかじめ定めた範囲の低い周波数領域の通過損失が、バンドＢ送信周波数帯の中の他の周波数領域の通過損失よりも大きいハイパスフィルタとして機能することと、前記ハイパスフィルタとして機能しないことを選択できる
ことを特徴とする移動通信端末。
【請求項２】
請求項１記載の移動通信端末であって、
前記可変フィルタは、バンドＡとバンドＢの両方を同時に通信に用いるときには前記ハイパスフィルタとして機能し、バンドＡとバンドＢのいずれか一方を通信に用いるときには前記ハイパスフィルタとして機能しない
ことを特徴とする移動通信端末。
【請求項３】
バンドＡとバンドＢの両方を同時に通信に用いるときと、バンドＡとバンドＢのいずれか一方を通信に用いるときがある移動通信端末であって、
周波数の低い側から、バンドＡ受信周波数帯、バンドＡ送信周波数帯、バンドＢ受信周波数帯、バンドＢ送信周波数帯の順番で割り当てられているとし、
アンテナと、
バンドＡの送信信号を増幅する送信用増幅器Ａと、
バンドＡの受信信号を増幅する受信用増幅器Ａと、
バンドＢの送信信号を増幅する送信用増幅器Ｂと、
バンドＢの受信信号を増幅する受信用増幅器Ｂと、
前記アンテナと、前記送信用増幅器Ａ、受信用増幅器Ａ、送信用増幅器Ｂ、受信用増幅器Ｂとの間に配置され、バンドＡ送信周波数帯の信号、バンドＡ受信周波数帯の信号、バンドＢ送信周波数帯の信号、バンドＢ受信周波数帯の信号の合分波を行う４波合分波器と、
前記４波合分波器と前記送信用増幅器Ａとの間に配置された可変フィルタと、
を備え、
前記可変フィルタは、バンドＡ送信周波数帯の中のあらかじめ定めた範囲の高い周波数領域の通過損失が、バンドＡ送信周波数帯の中の他の周波数領域の通過損失よりも大きいローパスフィルタとして機能することと、前記ローパスフィルタとして機能しないことを選択できる
ことを特徴とする移動通信端末。
【請求項４】
請求項３記載の移動通信端末であって、
前記可変フィルタは、バンドＡとバンドＢの両方を同時に通信に用いるときには前記ローパスフィルタとして機能し、バンドＡとバンドＢのいずれか一方を通信に用いるときには前記ローパスフィルタとして機能しない
ことを特徴とする移動通信端末。
【発明の詳細な説明】
【技術分野】
【０００１】
本発明は、複数のバンドの中から、１つまたは複数のバンドを選択して通信できる移動通信端末に関する。
【背景技術】
【０００２】
複数のバンドの中から１つのバンドを選択して通信する移動通信端末が従来技術として知られている。また、特許文献１には、送信には１つのバンドを用い、受信には複数のバンドを用いる移動通信端末が紹介されている。そして、送信も受信も複数のバンドを利用する方式のための検討も進められている。
【０００３】
まず、複数のバンドの中から１つのバンドを選択して通信する移動通信端末について説明する。図１は、２つのバンドの周波数帯の割り当ての例と、複数のバンドの中から１つのバンドを選択して通信する方式で求められるフィルタの性能を示す図である。図２は、複数のバンドの中から１つのバンドを選択して通信する移動通信端末の構成例を示している。図１の横軸は周波数であり、縦軸は信号の強度またはフィルタの通過特性を示している。５１ＡはバンドＡの送信周波数帯、５２ＡはバンドＡの受信周波数帯、５１ＢはバンドＢの送信周波数帯、５２ＢはバンドＢの受信周波数帯を示している。図２の移動通信端末７００は、アンテナ１１０、スイッチ７６０、デュープレクサ７２０、８２０、電力増幅器１３１、２３１、低雑音増幅器１３２、２３２、直交変調部１４１、２４１、直交復調部１４２、２４２、ベースバンド信号生成器１５０を備えている。
【０００４】
ベースバンド信号生成器１５０は、ベースバンドでの送受信信号の処理を行う。直交変調部１４１は、ベースバンドの送信信号をバンドＡ送信周波数帯の信号に変調する。電力増幅器１３１は、バンドＡの送信信号を増幅する。低雑音増幅器１３２は、バンドＡの受信信号を増幅する。直交復調部１４２は、バンドＡ受信周波数帯の信号をベースバンドの受信信号に復調する。電力増幅器２３１、低雑音増幅器２３２、直交変調部２４１、直交復調部２４２は、バンドＢについての同様の機能を有する。デュープレクサ７２０は、送信フィルタ７２１と受信フィルタ７２２を備える。送信フィルタ７２１は図１のＦ７２１の通過特性を有し、受信フィルタ７２２はＦ７２２の通過特性を有している。したがって、バンドＡの送信信号の受信回路への回り込みに対して十分なアイソレーションを確保できる。また、送信フィルタ８２１はＦ８２１の通過特性を有し、受信フィルタ８２２はＦ８２２の通過特性を有している。したがって、バンドＢの送信信号の受信回路への回り込みに対して十分なアイソレーションを確保できる。そして、スイッチ７６０は、使用するバンドにあわせて、デュープレクサ７２０、８２０の一方とアンテナ１１０とを接続する。
【先行技術文献】
【特許文献】
【０００５】
【特許文献１】特開２０１２−０８０２２４号公報
【発明の概要】
【発明が解決しようとする課題】
【０００６】
移動通信端末７００の場合、送信信号を出力するのは一方のバンドなので、そのバンドでの送信信号の受信回路への回り込みを防げばよい。よって、デュープレクサ７２０、８２０は、同一バンドの送信周波数帯と受信周波数帯との間で急峻に通過特性が変化する周波数特性を持てば十分であり、同一のバンドの送信周波数帯と受信周波数帯との間ではない側の通過特性は移動通信端末の性能には関係ない。よって、一般的にデュープレクサは、図１に示したような通過特性を有している。したがって、図２のスイッチ７６０を取り除いて２つのバンドで送受信できるようにしただけでは、バンド同士が近接する場合には、異なるバンド間での送信信号の受信回路への回り込みを防ぐためのアイソレーションを確保できない。また、特許文献１の方式は送信の周波数帯は１つであり、２つ以上の周波数帯を送信に用いる例ではない。
【０００７】
本発明は、バンド同士が近接する場合でも、異なるバンド間での送信信号の受信回路への回り込みを防ぐためのアイソレーションを確保する技術を提供することを目的とする。
【課題を解決するための手段】
【０００８】
本発明の移動通信端末は、バンドＡとバンドＢの両方を同時に通信に用いるときと、バンドＡとバンドＢのいずれか一方を通信に用いるときがある。本発明の移動通信端末は、アンテナ、バンドＡの送信信号を増幅する送信用増幅器Ａ、バンドＡの受信信号を増幅する受信用増幅器Ａ、バンドＢの送信信号を増幅する送信用増幅器Ｂ、バンドＢの受信信号を増幅する受信用増幅器Ｂ、４波合分波器、可変フィルタを備える。そして、周波数の低い側から、バンドＡ送信周波数帯、バンドＡ受信周波数帯、バンドＢ送信周波数帯、バンドＢ受信周波数帯の順番で割り当てられている場合には、可変フィルタは、４波合分波器と送信用増幅器Ｂとの間に配置され、バンドＢ送信周波数帯の中のあらかじめ定めた範囲の低い周波数領域の通過損失が、バンドＢ送信周波数帯の中の他の周波数領域の通過損失よりも大きいハイパスフィルタとして機能することと、ハイパスフィルタとして機能しないことを選択できる。また、周波数の低い側から、バンドＡ受信周波数帯、バンドＡ送信周波数帯、バンドＢ受信周波数帯、バンドＢ送信周波数帯の順番で割り当てられている場合は、可変フィルタは、４波合分波器と送信用増幅器Ａとの間に配置され、バンドＡ送信周波数帯の中のあらかじめ定めた範囲の高い周波数領域の通過損失が、バンドＡ送信周波数帯の中の他の周波数領域の通過損失よりも大きいローパスフィルタとして機能することと、ローパスフィルタとして機能しないことを選択できる。
【発明の効果】
【０００９】
本発明の移動通信端末では、一方のバンドの送信周波数帯の一部の通過損失を大きくする。しかし、一方のバンドのアンテナに送られる送信信号の減衰量に比べて、他方のバンドの受信回路への回り込む送信信号の減衰量を、より大きくできる。したがって、効果的に異なるバンド間の送信信号と受信信号のアイソレーションを確保できる。
【図面の簡単な説明】
【００１０】
【図１】２つのバンドの周波数帯の割り当ての例と、複数のバンドの中から１つのバンドを選択して通信する方式で求められるフィルタの性能を示す図。
【図２】複数のバンドの中から１つのバンドを選択して通信する移動通信端末の構成例を示す図。
【図３】従来の移動通信端末７００を改良した移動通信端末９００の機能構成例を示す図。
【図４】図３の移動通信端末のフィルタの性能と、バンドＢの送信信号の周波数特性を示す図。
【図５】実施例１の移動通信端末の機能構成例を示す図。
【図６】図５の移動通信端末のフィルタの性能とバンドＢの送信信号の周波数特性を示す図。
【図７】実施例１とは異なる周波数帯の割り当ての例を示す図。
【図８】変形例１の移動通信端末の機能構成例を示す図。
【図９】図８の移動通信端末のフィルタの性能を示す図。
【図１０】変形例２の移動通信端末の機能構成例を示す図。
【図１１】図１０の移動通信端末のフィルタの性能を示す図。
【図１２】３つのバンドの周波数帯の割り当ての例を示す図。
【図１３】変形例３の移動通信端末の機能構成例を示す図。
【発明を実施するための形態】
【００１１】
以下、本発明の実施の形態について、詳細に説明する。なお、同じ機能を有する構成部には同じ番号を付し、重複説明を省略する。
【００１２】
＜２つのバンドが接近しているときに不十分な特性しか得られない移動通信端末の例＞
図３は、従来の移動通信端末７００を改良した移動通信端末９００の機能構成例を示す図である。図４に、図３の移動通信端末のフィルタの性能と、バンドＢの送信信号の周波数特性を示す。移動通信端末９００は、移動通信端末７００からスイッチ７６０を取り除き、デュープレクサ７２０、８２０の代わりにクアドプレクサ１２０を備えている。クアドプレクサ１２０は、送信フィルタ１２１、２２１、受信フィルタ１２２、２２２を備える。送信フィルタ１２１は図４のＦ１２１の通過特性を、受信フィルタ１２２はＦ１２２の通過特性を、送信フィルタ２２１はＦ２２１の通過特性を、受信フィルタ２２２はＦ２２２の通過特性をそれぞれ有している。図４の６１Ｂは、バンドＢの送信信号の強度を示している。そして、７１Ｂの部分が、バンドＡの受信回路に回り込んでしまう強度を示している。
【００１３】
クアドプレクサの場合、４つの周波数帯に対応するようにフィルタを設計する。したがって、一般的なクアドプレクサは、デュープレクサに比べて、同一のバンドの送信周波数帯と受信周波数帯との間ではない側の通過特性もやや急峻である。しかし、バンド同士が接近する場合には、７１Ｂの部分の強度を十分に小さくできない。例えば、バンドＡを３ＧＰＰのバンド３（１．８ＧＨｚ帯）とし、バンドＢを３ＧＰＰのバンド１（２ＧＨｚ帯）とすると、バンドＡ送信周波数帯は１７１０〜１７８５ＭＨｚ、バンドＡ受信周波数帯は１８０５〜１８８０ＭＨｚ、バンドＢ送信周波数帯は１９２０〜１９８０ＭＨｚ、バンドＢ受信周波数帯は２１１０〜２１７０ＭＨｚとなる。この場合、クアドプレクサ１２０で確保できるバンドＢ送信信号のバンドＡ受信周波数帯へのアイソレーションは３０〜４０ｄＢであり、十分なアイソレーションは確保できない。
【実施例１】
【００１４】
図５に実施例１の移動通信端末の機能構成例を、図６に図５の移動通信端末のフィルタの性能とバンドＢの送信信号の周波数特性を示す。本実施例では、周波数の低い側から、バンドＡ送信周波数帯５１Ａ、バンドＡ受信周波数帯５２Ａ、バンドＢ送信周波数帯５１Ｂ、バンドＢ受信周波数帯５２Ｂの順番で割り当てられているとする。
【００１５】
移動通信端末１００は、バンドＡとバンドＢの両方を同時に通信に用いるときと、バンドＡとバンドＢのいずれか一方を通信に用いるときがある。移動通信端末１００は、アンテナ１１０、バンドＡの送信信号を増幅する送信用増幅器Ａである電力増幅器１３１、バンドＡの受信信号を増幅する受信用増幅器Ａである低雑音増幅器１３２、バンドＢの送信信号を増幅する送信用増幅器Ｂである電力増幅器２３１、バンドＢの受信信号を増幅する受信用増幅器Ｂである低雑音増幅器２３２、クアドプレクサ１２０、可変フィルタ２６１、直交変調部１４１、２４１、直交復調部１４２、２４２、ベースバンド信号生成器１５０を備える。アンテナ１１０、電力増幅器１３１、２３１、低雑音増幅器１３２、２３２、直交変調部１４１、２４１、直交復調部１４２、２４２、ベースバンド信号生成器１５０は、図２の移動通信端末７００と同じである。また、クアドプレクサ１２０は、図３の移動通信端末９００と同じである。
【００１６】
可変フィルタ２６１は、クアドプレクサ１２０と電力増幅器２３１との間に配置される。そして、可変フィルタ２６１は、バンドＢ送信周波数帯５１Ｂの中のあらかじめ定めた範囲の低い周波数領域の通過損失が、バンドＢ送信周波数帯５１Ｂの中の他の周波数領域の通過損失よりも大きいハイパスフィルタとして機能することと、ハイパスフィルタとして機能しないことを選択できる。可変フィルタ２６１は、例えば、特性を連続的に変更できる可変フィルタであってもよいし、特性を切り替える可変フィルタであってもよい。
【００１７】
そして、可変フィルタ２６１がハイパスフィルタとして機能するときの特性が、図６の通過特性Ｆ２６１である。通過特性Ｆ２６１では、バンドＢ送信周波数帯５１Ｂの中の低い周波数領域で通過損失が大きくなっている。このような通過特性にすることで、バンドＢの送信信号中のバンドＡ受信周波数帯５２Ａの成分をより大きく減衰できる。図６の６２Ｂは、可変フィルタ２６１をハイパスフィルタとして機能させた場合のバンドＢの送信信号の周波数特性を示している。細い実線は、図４の送信信号の周波数特性６１Ｂを重ねて記載したものである。そして、７３Ｂは移動通信端末１００でのバンドＢの送信信号のバンドＡ受信周波数帯５２Ａの部分を示しており、移動通信端末９００でのバンドＡ受信周波数帯５２Ａの部分の周波数特性７１Ｂよりも減衰していることを示している。なお、移動通信端末１００でのバンドＢ送信周波数帯５１Ｂの一部に、可変フィルタ２６１による減衰が生じている部分７２Ｂが存在する。しかし、７２Ｂの部分の減衰に比べ、７１Ｂから７３Ｂへの減衰の方が大きい。
【００１８】
このように可変フィルタ２６１の特性を設定すれば、例えば、バンドＡを３ＧＰＰのバンド３（１．８ＧＨｚ帯）とし、バンドＢを３ＧＰＰのバンド１（２ＧＨｚ帯）としたときに、バンドＢ送信周波数帯５１Ｂでの送信信号を１〜３ｄＢ程度減衰させることで、バンドＡ受信周波数帯５２Ａに回り込む送信信号は１０〜２０ｄＢ減衰させることができる。したがって、クアドプレクサ１２０のアイソレーション特性とあわせれば、５０ｄＢ程度のアイソレーションを確保できる。一方、送信信号全体を１０ｄＢ減衰させれば、回り込みを１０ｄＢ減衰させるために、アンテナ１１０に送る電力も１０ｄＢ程度減衰させることになってしまう。したがって、本実施例のように可変フィルタ２６１の特性を設定することで、効率的に他のバンドの受信信号に対するアイソレーションを確保できる。
【００１９】
移動通信端末１００は、上述のような構成であり、かつ、可変フィルタ２６１は、ハイパスフィルタとして機能することと、ハイパスフィルタとして機能しないことを選択できる。そして、バンドＡとバンドＢの両方を同時に通信に用いるときにはハイパスフィルタとして機能させれば、上述のように必要なアイソレーションを確保できる。また、バンドＡとバンドＢのいずれか一方を通信に用いるときには、ハイパスフィルタとして機能させなければ、バンドＢ送信周波数帯５１Ｂの送信信号の減衰を避けることができる。つまり、バンドＡとバンドＢの両方を同時に通信するときのアイソレーションの確保と、バンドＡとバンドＢのいずれか一方を通信に用いるときの通信に使用しているバンドの減衰量の低減を両立できる。
【００２０】
［変形例１］
図７に実施例１とは異なる周波数帯の割り当ての例を、図８に本変形例の移動通信端末の機能構成例を、図９に図８の移動通信端末のフィルタの性能を示す。図７の例では、周波数の低い側から、バンドＡ受信周波数帯５６Ａ、バンドＡ送信周波数帯５５Ａ、バンドＢ受信周波数帯５６Ｂ、バンドＢ送信周波数帯５５Ｂの順番で割り当てられている。この場合は、異なるバンド間では、バンドＡ送信周波数帯５５ＡとバンドＢ受信周波数帯５６Ｂが接近している。したがって、バンドＡの送信信号がバンドＢの受信回路に回り込むことを防ぐ必要がある。
【００２１】
移動通信端末２００は、アンテナ１１０、バンドＡの送信信号を増幅する送信用増幅器Ａである電力増幅器１８１、バンドＡの受信信号を増幅する受信用増幅器Ａである低雑音増幅器１８２、バンドＢの送信信号を増幅する送信用増幅器Ｂである電力増幅器２８１、バンドＢの受信信号を増幅する受信用増幅器Ｂである低雑音増幅器２８２、クアドプレクサ１７０、可変フィルタ１６１、直交変調部１９１、２９１、直交復調部１９２、２９２、ベースバンド信号生成器１５０を備える。ベースバンド信号生成器１５０は、図２の移動通信端末７００と同じである。
【００２２】
直交変調部１９１は、ベースバンドの送信信号をバンドＡ送信周波数帯５５Ａの信号に変調する。電力増幅器１８１は、バンドＡの送信信号を増幅する。低雑音増幅器１８２は、バンドＡの受信信号を増幅する。直交復調部１９２は、バンドＡ受信周波数帯５６Ａの信号をベースバンドの受信信号に復調する。電力増幅器２８１、低雑音増幅器２８２、直交変調部２９１、直交復調部２９２は、バンドＢについての同様の機能を有する。クアドプレクサ１７０は、送信フィルタ１７１、２７１、受信フィルタ１７２、２７２を備える。送信フィルタ１７１は図９のＦ１７１の通過特性を、受信フィルタ１７２はＦ１７２の通過特性を、送信フィルタ２７１はＦ２７１の通過特性を、受信フィルタ２７２はＦ２７２の通過特性をそれぞれ有している。
【００２３】
可変フィルタ１６１は、クアドプレクサ１７０と電力増幅器１８１との間に配置され、バンドＡ送信周波数帯５５Ａの中のあらかじめ定めた範囲の高い周波数領域の通過損失が、バンドＡ送信周波数帯５５Ａの中の他の周波数領域の通過損失よりも大きいローパスフィルタとして機能することと、ローパスフィルタとして機能しないことを選択できる。可変フィルタ１６１は、固定のローパスフィルタとスイッチとを組み合わせて形成してもよいし、連続的に特性を変更できる可変フィルタでもよい。
【００２４】
可変フィルタ１６１がローパスフィルタとして機能するときの特性が、図９の通過特性Ｆ１６１である。通過特性Ｆ１６１では、バンドＡ送信周波数帯５５Ａの中の高い周波数領域で通過損失が大きくなっている。このような通過特性にすることで、バンドＡの送信信号中のバンドＢ受信周波数帯５６Ｂの成分をより大きく減衰できる。原理は、実施例１と同じである。
【００２５】
このように可変フィルタ１６１の特性を設定すれば、例えば、バンドＡ送信周波数帯５５Ｂでの送信信号を１ｄＢ減衰させただけで、バンドＢ受信周波数帯５６Ｂに回り込む送信信号は１０〜２０ｄＢ減衰させることができる。したがって、クアドプレクサ１７０のアイソレーション特性とあわせれば、５０ｄＢ程度のアイソレーションを確保できる。一方、送信信号全体を１０ｄＢ減衰させれば、回り込みを１０ｄＢ減衰させるために、アンテナ１１０に送る電力も１０ｄＢ程度減衰させることになってしまう。したがって、本変形例のように可変フィルタ１６１の特性を設定することで、効率的に他のバンドの受信信号に対するアイソレーションを確保できる。
【００２６】
また、可変フィルタ１６１は、ローパスフィルタとして機能することと、ローパスフィルタとして機能しないことを選択できるので、実施例１と同様に、バンドＡとバンドＢの両方を同時に通信するときのアイソレーションの確保と、バンドＡとバンドＢのいずれか一方を通信に用いるときの通信に使用しているバンドの減衰量の低減を両立できる。
【００２７】
［変形例２］
変形例２は、実施例１とは同じ周波数帯の割り当ての場合で、図１０に本変形例の移動通信端末の機能構成例を、図１１に図１０の移動通信端末のフィルタの性能を示す。この例では、図１と同じように周波数の低い側から、バンドＡ送信周波数帯５１Ａ、バンドＡ受信周波数帯５２Ａ、バンドＢ送信周波数帯５１Ｂ、バンドＢ受信周波数帯５２Ｂの順番で割り当てられている。
【００２８】
移動通信端末４００は、移動通信端末１００よりクアドプレクサ１２０をデュープレクサ７２０、８２０およびダイプレクサ３１６に置き換えたものである。つまり、実施例１や変形例１では、クアドプレクサ１２０が４波合分波器であり、本変形例では、デュープレクサ７２０、８２０およびダイプレクサ３１６で４波合分波器を構成している。それ以外のアンテナ１１０、バンドＡの送信信号を増幅する送信用増幅器Ａである電力増幅器１３１、バンドＡの受信信号を増幅する受信用増幅器Ａである低雑音増幅器１３２、バンドＢの送信信号を増幅する送信用増幅器Ｂである電力増幅器２３１、バンドＢの受信信号を増幅する受信用増幅器Ｂである低雑音増幅器２３２、可変フィルタ１６１、直交変調部１４１、２４１、直交復調部１４２、２４２、ベースバンド信号生成器１５０は、図５の移動通信端末１００と同じである。また、移動通信端末４００は、図２の移動通信端末７００のスイッチをダイプレクサ３１６に変更し、可変フィルタ２６１を追加した構成でもある。
【００２９】
ダイプレクサ３１６は、バンドＡの周波数帯とバンドＢの周波数帯を分離するために設置されたフィルタであるが、ローパスフィルタとハイパスフィルタを組み合わせたものであり、デュープレクサやクアドプレクサのように、高いアイソレーションは得られない。さらに、送信信号の低下を極力抑えるように調整した場合、アイソレーションは小さなものとなる。
【００３０】
可変フィルタ２６１は、デュープレクサ８２０と電力増幅器２３１との間に配置される。そして、可変フィルタ２６１は、バンドＢ送信周波数帯５１Ｂの中のあらかじめ定めた範囲の低い周波数領域の通過損失が、バンドＢ送信周波数帯５１Ｂの中の他の周波数領域の通過損失よりも大きいハイパスフィルタとして機能することと、ハイパスフィルタとして機能しないことを選択できる。
【００３１】
図１１のＦ３２１はダイプレクサ３１６と送信フィルタ７２１をあわせた通過特性を、Ｆ３２２はダイプレクサ３１６と受信フィルタ７２２をあわせた通過特性を、Ｆ４２１はダイプレクサ３１６と送信フィルタ８２１をあわせた通過特性を、Ｆ４２２はダイプレクサ３１６と受信フィルタ８２２をあわせた通過特性を示している。そして、可変フィルタ２６１がハイパスフィルタとして機能するときの特性が、図１１の通過特性Ｆ２６１である。通過特性Ｆ２６１では、バンドＢ送信周波数帯５１Ｂの中の低い周波数領域で通過損失が大きくなっている。このような通過特性にすることで、バンドＢの送信信号中のバンドＡ受信周波数帯５２Ａの成分をより大きく減衰できる。図１１の６５Ｂは、可変フィルタ２６１をハイパスフィルタとして機能させた場合のバンドＢの送信信号の周波数特性を示している。細い実線で示された６３Ｂは、図２の構成で得られるバンドＢの送信信号の周波数特性を記載したものである。そして、７５Ｂは移動通信端末４００でのバンドＢの送信信号のバンドＡ受信周波数帯５２Ａの部分を示しており、移動通信端末７００でのバンドＡ受信周波数帯５２Ａの部分の周波数特性７４Ｂよりも減衰していることを示している。なお、移動通信端末４００でのバンドＢ送信周波数帯５１Ｂの一部に、可変フィルタ２６１による減衰が生じている部分７６Ｂが存在する。しかし、７６Ｂの部分の減衰に比べ、７４Ｂから７５Ｂへの減衰の方が大きい。
【００３２】
このように可変フィルタ２６１の特性を設定すれば、例えば、バンドＡを３ＧＰＰのバンド３（１．８ＧＨｚ帯）とし、バンドＢを３ＧＰＰのバンド１（２ＧＨｚ帯）としたときに、バンドＢ送信周波数帯５１Ｂでの送信信号を１〜３ｄＢ程度減衰させることで、バンドＡ受信周波数帯５２Ａに回り込む送信信号は１０〜２０ｄＢ減衰させることができる。デュープレクサ８２０のアイソレーション特性、ダイプレクサ３１６のアイソレーション特性とあわせても５０ｄＢのアイソレーションを確保できないが、本発明を適用しない場合と比較して回り込む送信信号を１０〜２０ｄＢ程度減衰させることができるため、エリアを制限すれば十分に通信品質を確保することが可能となる。変形例２の移動通信端末はこのような構成なので、実施例１と同様の効果を得ることができる。
【００３３】
なお、周波数の割り当てが図７の場合には、デュープレクサを図７の周波数の割り当てに適応したものに変更し、変形例１と同様に可変フィルタ１６１を、電力増幅器１８１とデュープレクサとの間に配置すればよい。そして、可変フィルタ１６１は、バンドＡ送信周波数帯５５Ａの中のあらかじめ定めた範囲の高い周波数領域の通過損失が、バンドＡ送信周波数帯５５Ａの中の他の周波数領域の通過損失よりも大きいローパスフィルタとして機能することと、ローパスフィルタとして機能しないことを選択できる。このような構成にすれば、変形例１と同様の効果を得ることができる。
【００３４】
［変形例３］
図１２に、３つのバンドの周波数帯の割り当ての例を示す。図１３に、変形例３の移動通信端末の機能構成例を示す。図１２の例では、３つ目のバンドとしてバンドＣも割り当てられている。５１ＣはバンドＣ送信周波数帯であり、５２ＣはバンドＣ受信周波数帯である。ただし、バンドＣの周波数帯は、バンドＡの周波数帯（図１２の５１Ａ，５２Ａ）やバンドＢの周波数帯（図１２の５１Ｂ，５２Ｂ）からは離れている。このような場合であれば、バンドＡ，Ｂの信号とバンドＣの信号とはダイプレクサを用いて分離できる。図１３は、ダイプレクサで信号を分離できる程度に離れた周波数帯が第３のバンドに割り当てられているときの移動通信端末の機能構成例を示すものである。移動通信端末３００は、移動通信端末１００に、ダイプレクサ３１５、送信フィルタ３２１と受信フィルタ３２２を有するデュープレクサ３２０、電力増幅器３３１、低雑音増幅器３３２、直交変調部３４１、直交復調部３４２を追加し、ベースバンド信号生成器３５０が３つのバンド用の信号に対応できるように変更したものである。
【００３５】
このように、本発明の移動通信端末は、少なくとも２つのバンドを同時に使うものであるが、通信に影響の無い範囲で他のバンドを追加してもよい。また、このように構成しても、実施例１、変形例１、２と同様の効果が得られる。
【符号の説明】
【００３６】
５１Ａ、５５Ａ  バンドＡ送信周波数帯
５１Ｂ、５５Ｂ  バンドＢ送信周波数帯
５１Ｃ  バンドＣ送信周波数帯
５２Ａ、５６Ａ  バンドＡ受信周波数帯
５２Ｂ、５６Ｂ  バンドＢ受信周波数帯
５２Ｃ  バンドＣ受信周波数帯
１００、２００、３００、４００、７００、９００  移動通信端末
１１０  アンテナ
１２０、１７０  クアドプレクサ
１２１、１７１、２２１、２７１、３２１、７２１、８２１  送信フィルタ
１２２、１７２、２２２、２７２、３２２、７２２、８２２  受信フィルタ
１３１、１８１、２３１、２８１、３３１  電力増幅器
１３２、１８２、２３２、２８２、３３２  低雑音増幅器
１４１、１９１、２４１、２９１、３４１  直交変調部
１４２、１９２、２４２、２９２、３４２  直交復調部
１５０、３５０  ベースバンド信号生成器
１６１、２６１  可変フィルタ
７６０  スイッチ
３１５、３１６  ダイプレクサ
３２０、７２０、８２０  デュープレクサ
【図１】
2014171022.tif 000003
【図２】
2014171022.tif 000004
【図３】
2014171022.tif 000005
【図４】
2014171022.tif 000006
【図５】
2014171022.tif 000007
【図６】
2014171022.tif 000008
【図７】
2014171022.tif 000009
【図８】
2014171022.tif 000010
【図９】
2014171022.tif 000011
【図１０】
2014171022.tif 000012
【図１１】
2014171022.tif 000013
【図１２】
2014171022.tif 000014
【図１３】
2014171022.tif 000015